(57)【要約】【課題】バックレストの倒起動と関連してコンターシートを前後動させ、バックレストの倒起動にかかわらず、前後方向における患者の口腔位置が変化しないようにする。【解決手段】歯科用治療椅子１０は、コンターシート１３と、該コンターシート１３に対して倒起動可能なバックシート１２とを有する。コンターシート１３には、下面にラック歯２ａを有し、上面にラック歯２ｂを有するラック杆２が取り付けられており、バックレスト１２を起状態から倒状態にする時、モータ１を正回転させると、その回転が歯車３を介してラック歯２ａに伝達され、コンターシート１３を前方（矢印Ｂ方向）に移動させる。この時、ラック歯２ｂにより歯車４が回転され、バックレスト１２が倒され（矢印Ａ方向）、倒状態となり、バックレスト１２の倒起動にかかわらず、治療椅子上の患者の前後方向における口腔位置は変わらない。【選択図】図３
2005342333.tif 000002
【特許請求の範囲】
【請求項１】
コンターシートと、該コンターシートに対して倒起動可能なバックシートとを有する歯科用治療椅子において、前記バックレストを倒動させる時に同時に前記コンターシートを前進動させ、バックレストの倒起動にかかわらず、治療椅子上の患者の前後方向における口腔位置が変わらないようにしたことを特徴とする歯科用治療椅子。
【発明の詳細な説明】
【技術分野】
【０００１】
本発明は、歯科用治療椅子、より詳細には、患者が座るコンターシートと、該コンターシートに対して傾動（起倒）可能なバックレスト（背板）とを有する歯科用治療椅子において、前記バックレストの傾動（倒起）と同時に前記コンターシートを前後動させ、バックレストの傾動によって生じる（被治療位置である）口腔の前後方向のずれをなくすようにした歯科用治療椅子に関する。
【背景技術】
【０００２】
図４は、本発明が適用される歯科用治療椅子の一例を説明するための要部概略構成図で、図中、１０は歯科用治療椅子、１１は安頭台、１２はバックレスト、１３はコンターシート、１４はレッグレスト、１５はフットレスト（フットステップ）、１６は基台で、周知のように、常時は、起状態にあり、この状態で患者は、フットレスト（フットステップ）１５の上に乗って、その後、コンターシート１３に腰掛ける。その後、術者（ドクター）は、椅子を倒状態（寝状態）にして治療を行い、或いは、起状態にするとともに、椅子を上昇させて患者がうがいがしやすいようにする等、椅子１０を起状態、或いは、倒状態にして歯科治療を行う。
【０００３】
図５は、上述のごとき歯科用治療椅子、すなわち、コンターシート１３とバックレスト１２とを有し、バックレスト１２を起倒して治療を行う歯科用治療椅子におけるバックレスト１２の起状態（実線）と倒状態（破線）とを示す概略図で、図中、Ｋ1，Ｋ2は患者の頭部（被治療部位である口腔位置）を示す。この口腔位置は、バックレスト１２が起状態にある時はＫ1の位置であるが、バックレスト１２を倒状態にするとＫ2の位置となり、バックレスト１２を起倒することにより、前後方向に距離Ｌだけずれ、そのため、術者（ドクター）は、バックレスト１２の起倒に応じて前後方向に距離Ｌだけ移動しなければならず、特に、ドクターチェアに腰掛けて治療しているような場合、バックレストの起倒に伴なってドクターチェアを移動しなければならず、また、それに伴なってワークテーブルも移動しなければならず、非常に面倒であった。
【発明の開示】
【発明が解決しようとする課題】
【０００４】
本発明は、上述のごとき実情に鑑みてなされたもので、バックレストが倒起動する歯科用治療椅子において、バックレストの倒起動と連動してコンターシートを前後動させ、バックレストの倒起動にかかわらず、前後方向における患者の口腔位置が変化しないようにして、術者の治療行為をし易くすることを目的としてなされたものである。
【課題を解決するための手段】
【０００５】
本発明は、上記目的を達成するために、コンターシートと、該コンターシートに対して倒起動可能なバックシートとを有する歯科用治療椅子において、前記バックレストを倒動させる時に同時に前記コンターシートを前進動させ、バックレストの倒起動にかかわらず、治療椅子上の患者の前後方向における口腔位置が変わらないようにしたことを特徴としたものである。
【発明の効果】
【０００６】
本発明によると、バックレストの起倒にかかわらず、被治療位置である患者の口腔位置が前後方向に移動しないので、術者は、起状態治療でも倒状態治療でも、同じ位置にいて治療を行うことができるので、従来技術のように、バックレストの起倒に応じて前後に移動する煩わしさがなく、より効果的に歯科治療を行うことができる。
【発明を実施するための最良の形態】
【０００７】
図１は、本発明による歯科用治療椅子の動作例を説明するための要部概略構成図で、図１（Ａ）は起状態治療時における患者の口腔位置Ｋ1を示し、図１（Ｂ）は倒状態治療時における患者の口腔位置Ｋ2を示すが、本発明においては、起状態治療（図１（Ａ））から倒状態治療（図１（Ｂ））に移行する時に、バックレスト１２を（矢印Ａ方向に）倒すと、該バックレスト１２の倒動作と連動してコンターシート１３が前方（矢印Ｂ方向に）に移動し、患者の口腔位置Ｋ1，Ｋ2は、治療椅子の前後方向には移動することなく、Ｋ1の起状態位置とＫ2の倒状態位置とが治療椅子の前後方向に関して同じになっている。
【０００８】
上述のごとき歯科用治療椅子においては、通常、図２に示すような操作スイッチを有し、スイッチＳ1を押すとバックレスト１２が起状態（図１（Ａ））となり、スイッチＳ2を押すと倒状態（図１（Ｂ））となる。なお、スイッチＳ3，Ｓ4は治療椅子を上下動させるものであり、スイッチＳ5，Ｓ6は治療椅子を傾動させるものである。而して、本発明においては、倒スイッチＳ1を押した時に、バックレスト１２が起状態（図１（Ａ））から倒状態（図１（Ｂ））になるが、その時、同時に、コンターシート１３が前方に移動し、患者の頭部（口腔位置）が後方に移動しないようにしたものである。勿論、倒状態（図１（Ｂ））にある時に、起スイッチＳ2を押すと、バックレスト１２は倒状態（図１（Ｂ））から起状態（図１（Ａ））になるが、この時、同時に、コンターシート１３が後方に移動して、最初の起状態（図１（Ａ））に戻るようになっている。
【０００９】
上述のごときバックレスト１２の起倒動、及び、コンターシート１３の前後動は、モータ、油圧シリンダー、エアーシリンダー等、任意所望の動力源を用いて行うが、これらの動き（バックレストの起倒動及びコンターシートの前後動）は独立して又は連動して行うことができ、例えば、バックレスト１２を倒した後に、引き続いて、コンターシート１３を所定量前方に移動させるようにしてもよいし、逆に、コンターシートを所定量前方に移動させた後に、バックレストを倒すようにしてもよいし、或いは、バックレスト１２を起又は倒動しながらコンターシート１３を前進又は後進動させるようにしてもよい。
【００１０】
図３は、バックレスト１２の起倒動をコンターシートと前後動を単一の電動モータにて行うようにした場合の一例を説明するための概念図で、図中、１は基台１６側に設けられたモータ、２はコンターシート１３側に設けられたラック杆で、コンターシート１３は例えば基台１６に設けられたレール上を前後方向に摺動移動可能なように取り付けられている。ラック杆２は、例えば、下部にラック歯２ａを有し、上部にラック歯２ｂを有し、下部ラック歯２ａはモータ１の回転が伝達される歯車（複数でもよい）３と噛合し、上部ラック歯２ｂはバックレスト１２の回動軸に設けられた歯車（複数でもよい）４と噛合するようになっている。
【００１１】
モータ１は、図２に示したスイッチＳ1又はＳ2を押すことによって正転又は逆転され、スイッチＳ1を押した時に、モータ１が回転して歯車３、ラック歯２ａを介してラック杆２が後方に移動し（すなわち、コンターシート１３が後方に移動し）、同時に、すなわち、ラック杆２が後方に移動することによって、ラック歯２ｂが歯車４を回転し、バックレスト１２を倒して倒状態にする。スイッチＳ2を押すと、スイッチＳ1を押した時とは逆に、ラック杆２が前方に移動し、同時に、バックレスト１２が倒状態から起状態になる。
【００１２】
以上には、コンターシートの前後動とバックレストの起倒とを単一の動力源（モータ）を用いて連動させて同時に行うようにした例について説明したが、前述のように、これらコンターシートの前後動をバックレストの倒起動とを共に周知の独立した動力源を用いて、同時に或いは時間差を設けて、駆動するようにしてもよいことは容易に理解されよう。
【図面の簡単な説明】
【００１３】
【図１】本発明の動作例を説明するための概念図である。
【図２】歯科用治療椅子の操作スイッチの例を示す図である。
【図３】本発明による歯科用治療椅子の一例を説明するための要部概略構成図である。
【図４】従来の歯科用治療椅子の一例を説明するための要部構成図である。
【図５】従来の歯科用治療椅子の一動作例を説明するための概念図である。
【符号の説明】
【００１４】
１…モータ（動力源）、２…ラック杆、２ａ，２ｂ…ラック歯、３，４…歯車、１０…歯科用治療椅子、１２…バックレスト、１３…コンターシート、１６…基台。
【図１】
2005342333.tif 000003
【図２】
2005342333.tif 000004
【図３】
2005342333.tif 000005
【図４】
2005342333.tif 000006
【図５】
2005342333.tif 000007